(57)【要約】【課題】ヘッダー用継手の挿口外周面と受口内周面との間に実質的な隙間が生じない状態で、挿口を受口の奥端まで挿入、接着して水密的に接合できる排水ヘッダーを提供する。【解決手段】両端に挿口１ｂと受口１ａを有し、かつ、側面に排水枝管の接続口１ｃを有する複数のヘッダー用継手１を一列に並べて、各継手１の挿口１ｂを隣りの継手１の受口１ａに挿入、接着して各継手１を接続した排水ヘッダーにおいて、挿口１ｂの外周面に先細りのテーパーを付けると共に、受口１ａの内周面に先広がりのテーパーを付け、挿口外周面のテーパー角θ1 を受口内周面のテーパー角θ2 の１／３〜２／３とする。【選択図】  図５
2004211319.tif 000002
【特許請求の範囲】
【請求項１】
両端に挿口と受口を有し、かつ、側面に排水枝管の接続口を有する複数のヘッダー用継手を一列に並べて、それぞれのヘッダー用継手の挿口を隣りのヘッダー用継手の受口に挿入、接着することにより、ヘッダー用継手を互いに接続すると共に、上流側端部に位置するヘッダー用継手に、排水主管の接続口を有するか又は有しない端部閉塞材を接続し、下流側端部に位置するヘッダー用継手に、排水主管の接続口を有する端部閉塞材を接続して成る排水ヘッダーであって、
上記挿口の外周面に先細りのテーパーを付けると共に、上記受口の内周面に先広がりのテーパーを付け、挿口外周面のテーパー角を受口内周面のテーパー角の１／３〜２／３としたことを特徴とする排水ヘッダー。
【請求項２】
挿口外周面のテーパー角を受口内周面のテーパー角の略１／２とした請求項１に記載の排水ヘッダー。
【請求項３】
挿口の先端外周縁に環状の凹欠部を形成した請求項１または請求項２に記載の排水ヘッダー。
【請求項４】
上流側端部に位置するヘッダー用継手に接続される端部閉塞材の挿口がヘッダー用継手の挿口と同一であって、ヘッダー用継手の挿口の外周面のテーパー角と同じテーパー角の外周面を有し、この端部閉塞材の挿口が上流側端部に位置するヘッダー用継手の受口に挿入、接着されている請求項１に記載の排水ヘッダー。
【請求項５】
下流側端部に位置するヘッダー用継手に接続される端部閉塞材の受口がヘッダー用継手の受口と同一であって、ヘッダー用継手の受口の内周面のテーパー角と同じテーパー角の内周面を有し、この端部閉塞材の受口に下流側端部に位置するヘッダー用継手の挿口が挿入、接着されている請求項１に記載の排水ヘッダー。
【発明の詳細な説明】
【０００１】
【発明の属する技術分野】
本発明は、浴室、洗面台、台所等のからの各排水を合流させて屋外に排水する排水ヘッダーに関する。
【０００２】
【従来の技術】
近年、床下に排水ヘッダーを設置し、この排水ヘッダーに浴室、洗面台、台所等からの排水枝管を接続して各排水を合流させ、家屋の基礎コンクリートに埋設された基礎貫通部材に排水ヘッダーからの排水主管を接続して屋外に排水するようにした排水システムが提案されている。このような排水システムを採用すると、屋外に設置する排水桝の個数を従来の半数以下に削減して大幅なコストダウンと屋外の美観の向上を図ることができるため、今後、急激に普及するものと思われる。
【０００３】
上記の排水システムに使用される排水ヘッダーとしては、例えば図９に示すような構造のものが知られている。この排水ヘッダーは、両端にフランジ１０１を有し且つ側面に排水枝管の接続口１０２を有する複数のヘッダー用継手１０３を一列に並べ、互いに隣接するヘッダー用継手１０３のフランジ１０１同士をボルト・ナット１０４で結合して接続すると共に、排水主管１０５ａ，１０５ｂの接続口１０６ａ，１０６ｂを有する端部閉塞材１０７ａ，１０７ｂのそれぞれのフランジ１０１を上記と同様にボルト・ナット１０４で結合して、ヘッダー両端に端部閉塞材１０７ａ，１０７ｂを取付けたものである。
【０００４】
しかしながら、この排水ヘッダーは、ボルト・ナット１０４でフランジ１０１同士を結合してヘッダー用継手１０３を接続する作業や、端部閉塞材１０７ａ，１０７ｂを接続する作業が面倒で手間がかかるという問題があった。
【０００５】
そこで、本発明者らは、両端に挿口と受口を有し、かつ、側面に排水枝管の接続口を有する複数のヘッダー用継手を一列に並べて、それぞれのヘッダー用継手の挿口を隣りのヘッダー用継手の受口に挿入、接着することにより、ヘッダー用継手を互いに接続すると共に、両端に位置するヘッダー用継手に端部閉塞材を接続した排水ヘッダーを開発した。この排水ヘッダーは、挿口を受口に挿入、接着することによって、ヘッダー用継手を簡単且つ水密的に接続できるという利点を有するが、その反面、以下のような解決すべき課題が残されていた。
【０００６】
【発明が解決しようとする課題】
即ち、本発明者らの開発した排水ヘッダーでは、ヘッダー用継手の挿口を隣りのヘッダー用継手の受口に挿入しやすくするために、図１０に示すように、ヘッダー用継手１の受口１ａの内周面に先広がりのテーパー（受口１ａの先端に近づくほど受口１ａの内径が大きくなるテーパー）を付ける必要があり、また、接続したときの水密性を確保するために、挿口１ｂの先端の外径を、受口１ａの奥端の内径より大きく且つ受口１ａの先端の内径より小さく設定する必要がある。このような受口１ａの内周面と挿口１ｂの外周面に溶剤型の接着剤を塗布して挿口１ｂを受口１ａに挿入すると、挿口１ｂが図１０（ａ）に示すように外周面にテーパーを付けていない外径の一様な挿口である場合には、図１０（ｂ）に示すように、溶剤型の接着剤により溶融した受口１ａの内周面と挿口１ｂの外周面が互いに擦れ、主として受口１ａの奥端寄りの内周面が削ぎ取られながら、挿口１ｂが受口１ａの奥端まで挿入されて水密的に接続されることになる。
【０００７】
けれども、上記のように接続すると、図１０（ｂ）に示すごとく、受口１ａの内周面と挿口１ｂの外周面が互いに密着する部分は、通常、受口１ａの奥端から１／３程度、挿口１ｂの先端から１／３程度であり、残りの２／３程度は隙間Ｇが開いた状態となる。従って、最近増加しつつある透明なエルボその他の透明な配管接続部品と同様に、このヘッダー用継手１を透明な合成樹脂で成形した場合は、受口１ａと挿口１ｂとの間の隙間が外部から良く目立ち、実際には水密的に接続されているにも拘らず、素人には接続不良による漏水の不安を与えるという問題がある。
【０００８】
また、図１０（ｂ）に示すように、受口１ａの削ぎ取られた内周面の樹脂や余分の接着剤が受口１ａの奥端と挿口１ｂの先端との当接箇所の内周にはみ出して環状の隆起部Ｂを形成するため、透明な合成樹脂でヘッダー用継手１を形成した場合は、この隆起部Ｂが外部から見えて体裁が悪くなり、しかも、この隆起部Ｂによって排水の流れが阻害されため、ヘッダー内部に排水や固形物が滞溜しやすいという問題もある。
【０００９】
一方、図１１（ａ）に示すように、挿口１ｂの外周面に受口１ａの内周面のテーパー角θと同じ角度θの先細りのテーパーをつけると、上記の問題をある程度解決することはできるが、その場合は、図１１（ｂ）に示すように、挿口１ｂを受口１ａに挿入する途中で挿口１ｂの外周面が受口１ａの内周面に面接触して、挿口１ｂを受口１ａの奥端まで挿入することができなくなり、挿口１ｂの先端と受口１ａの奥端との間に環状の凹部Ｃが形成されることになるため、該凹部に排水中の固形物等が溜まって排水の流れを阻害し、この固形物等が外部から見えて不潔感を与えるという問題がある。
【００１０】
本発明は、これらの問題を解決できるように改良した排水ヘッダーを提供することを目的としている。
【００１１】
【課題を解決するための手段】
上記の目的を達成するため、本発明の排水ヘッダーは、両端に挿口と受口を有し、かつ、側面に排水枝管の接続口を有する複数のヘッダー用継手を一列に並べて、それぞれのヘッダー用継手の挿口を隣りのヘッダー用継手の受口に挿入、接着することにより、ヘッダー用継手を互いに接続すると共に、上流側端部に位置するヘッダー用継手に、排水主管の接続口を有するか又は有しない端部閉塞材を接続し、下流側端部に位置するヘッダー用継手に、排水主管の接続口を有する端部閉塞材を接続して成る排水ヘッダーであって、上記挿口の外周面に先細りのテーパーを付けると共に、上記受口の内周面に先広がりのテーパーを付け、挿口外周面のテーパー角を受口内周面のテーパー角の１／３〜２／３としたことを特徴とするものである。
【００１２】
本発明のように排水ヘッダー用継手の挿口外周面のテーパー角を受口内周面のテーパー角の１／３〜２／３とした排水ヘッダーは、挿口外周面と受口内周面に溶剤型の接着剤を塗布して挿口を受口に挿入すると、挿入の途中で挿口外周面と受口内周面が面接触することなく、挿口の先端で受口内周面を削ぎ落としながら、挿口を受口の奥端まで挿入して水密的に接続することができる。このように接続した状態では、受口の先端寄りの内周面と挿口の基端寄りの外周面との間に隙間が若干生じるけれども、この隙間が生じる範囲は狭い上に、隙間それ自体がテーパー角の差によって生じる極く小さな隙間であるため、排水ヘッダー用継手を透明な合成樹脂で形成した場合でも、上記の隙間を外部から殆ど視認することができず、実質的に隙間がないように見える。従って、体裁の良い排水ヘッダーを組立施工することが可能となり、素人に接続不良の印象や漏水の不安を与える心配もなくなる。
【００１３】
挿口外周面のテーパー角が受口内周面のテーパー角の２／３よりも大きくなると、挿口を受口に挿入する途中で挿口外周面が受口内周面に面接触に近い状態で接触するため、挿口を受口の奥端まで挿入することが困難となり、逆に、挿口外周面のテーパー角が受口内周面のテーパー角の１／３よりも小さくなると、両者のテーパー角の差によって生じる隙間の大きさや範囲が増大し、隙間が良く目立つようになるので、いずれの場合も本発明の目的を達成し難くなる。挿口外周面の更に好ましいテーパー角は、受口内周面のテーパー角の略１／２である。
【００１４】
また、本発明の排水ヘッダーにおいては、挿口の先端外周縁に環状の凹欠部を形成することが望ましく、かかる凹欠部を形成すると、挿口を受口に挿入するときに削ぎ取られる受口内周面の溶融樹脂や余分の接着剤を上記の凹欠部に逃がして溜めることができるため、これらの溶融樹脂や余分の接着剤が受口の奥端と挿口の先端との当接箇所の内周にはみ出して環状の隆起部を形成することがなくなる。従って、この隆起部によって排水の流れが阻害されたり、ヘッダー内部に排水や固形物が滞溜する欠点を解消することができる。
【００１５】
更に、本発明の排水ヘッダーは、上流側端部に位置するヘッダー用継手に接続される端部閉塞材の挿口がヘッダー用継手の挿口と同一であって、ヘッダー用継手の挿口外周面のテーパー角と同じテーパー角の外周面を有し、この端部閉塞材の挿口が上流側端部に位置するヘッダー用継手の受口に挿入、接着されていることが望ましい。このような排水ヘッダーは、端部閉塞材の挿口外周面とヘッダー用継手の受口内周面との間に実質的に隙間がない状態で、上流側の端部閉塞材の挿口をヘッダー用継手の受口の奥端まで挿入して水密的に接続できる。
【００１６】
また、本発明の排水ヘッダーは、下流側端部に位置するヘッダー用継手に接続される端部閉塞材の受口がヘッダー用継手の受口と同一であって、ヘッダー用継手の受口内周面のテーパー角と同じテーパー角の内周面を有し、この端部閉塞材の受口に下流側端部に位置するヘッダー用継手の挿口が挿入、接着されていることが望ましい。このような排水ヘッダーは、ヘッダー用継手の挿口外周面と端部閉塞材の受口内周面との間に実質的に隙間がない状態で、ヘッダー用継手の挿口を下流側の端部閉塞材の受口の奥端まで挿入して水密的に接続できる。
【００１７】
【発明の実施の形態】
以下、図面を参照して本発明の具体的な実施形態を詳述する。
【００１８】
図１は本発明の一実施形態に係る排水ヘッダーの斜視図、図２はキャップを分離して示す同排水ヘッダーのヘッダー用継手の正面図、図３はキャップを分離して示す同ヘッダー用継手の平面図、図４はキャップを分離して示す同ヘッダー用継手の左側面図、図５はキャップを省略した同ヘッダー用継手の拡大断面図、図６は同ヘッダー用継手の接続状態を示す部分断面図、図７は同排水ヘッダーの上流側端部のヘッダー用継手に接続された端部閉塞材の断面図、図８は同排水ヘッダーの下流側端部のヘッダー用継手に接続された端部閉塞材の断面図である。
【００１９】
この排水ヘッダーは、図１に示すように、複数（図例では四つ）のヘッダー用継手１を一列に並べて接続すると共に、上流側端部および下流側端部に位置するヘッダー用継手１，１に端部閉塞材２，３をそれぞれ接続したものである。
【００２０】
ヘッダー用継手１は、ポリ塩化ビニル等の合成樹脂を射出成形したものであって、図４に示すような略卵形管状に成形されているため、排水の流れが良好である。材料の合成樹脂は、不透明な配合のものを使用してもよいが、顔料を含まない無色透明のものや有色透明の配合のものを使用して、ヘッダー用継手１の内部を透視できるようにすることが、点検作業やメンテナンスの観点から望ましい。
【００２１】
図２〜図５に示すように、このヘッダー用継手１の一端（上流側端）には受口１ａが形成されており、他端（下流側端）には、該受口１ａに挿入される挿口１ｂが形成されている。そして、このヘッダー用継手１の側面の上部には、排水枝管の接続口１ｃが水平もしくは排水枝管の流れ勾配に等しい角度（１〜２°）で突設されている。また、このヘッダー用継手１の上面中央部には点検口１ｄが形成されており、この点検口１ｄにはキャップ１ｅが螺合されて開閉自在に取付けられている。従って、このキャップ１ｅを外せば、ヘッダー用継手１の内部清掃を簡単に行うことができるようになっている。
【００２２】
図５に示すように、受口１ａの内周面には先広がりのテーパー（受口１ａの先端に近づくほど受口１ａの内径が大きくなるテーパー）が形成されており、また挿口１ｂの外周面には先細りのテーパー（挿口１ｂの先端に近づくほど挿口１ｂの外径が小さくなるテーパー）が形成されている。そして、この挿口１ｂの先端の外径は、受口１ａの奥端の内径よりも大きく、受口１ａの先端の内径よりも小さい寸法とされており、好ましくは、受口１ａの奥端の内径と先端の内径とを平均した寸法に設定されている。
【００２３】
受口１ａの内周面のテーパーは、挿口１ｂの先端を容易に挿入できるようにするために形成されたもので、そのテーパー角θ2 は、具体的には略２°に設定されている。一方、挿口１ｂの外周面のテーパー角θ1 は、受口内周面のテーパー角θ2 の１／３〜２／３に設定することが必要である。このようにテーパー角θ1 をテーパー角θ2 の１／３〜２／３に設定すると、図６に示すように、挿口１ｂの外周面と受口１ａの内周面との間に実質的に隙間がない状態で、挿口１ｂを受口１ａの奥端まで挿入、接着して水密的に接続することができる。
【００２４】
即ち、挿口１ｂの外周面と受口１ａの内周面に溶剤型の接着剤を塗布して挿口１ｂを受口１ａに挿入すると、挿入の途中で挿口１ｂの外周面と受口１ａの内周面が面接触することなく、挿口１ｂの先端で受口１ａの溶融した内周面を削ぎ落としながら、挿口１ｂを受口１ａの奥端まで挿入することができ、このように奥端まで挿入した状態では、受口１ａの先端寄りの内周面と挿口１ｂの基端寄りの外周面との間に隙間が若干生じるけれども、この隙間が生じる範囲は狭い上に、隙間それ自体がテーパー角θ1 ，θ2 の差によって生じる極く小さな隙間であるため、このヘッダー用継手１を無色透明又は有色透明の合成樹脂で形成した場合でも、上記の極く小さな隙間を外部から視認し難くなって、実質的に隙間がないように見える。従って、体裁の良い排水ヘッダーを組立施工することができ、素人に接続不良の印象や漏水の不安を与える心配が解消される。
【００２５】
テーパー角θ1 がテーパー角θ2 の２／３よりも大きくなると、既述したように、挿口１ｂを受口１ａに挿入する途中で挿口１ｂの外周面が受口１ａの内周面に面接触に近い状態で接触するため、挿口１ｂを受口１ａの奥端まで挿入することが困難となり、逆に、テーパー角θ1 がテーパー角θ2 の１／３よりも小さくなると、テーパー角θ1 ，θ2 の差によって生じる隙間の大きさや範囲が増大し、隙間が目立つようになるので好ましくない。挿口１ｂ外周面の更に好ましいテーパー角θ1 は、受口１ａ内周面のテーパー角θ2 の略１／２である。
【００２６】
また、図５に一部拡大して示すように、この挿口１ｂの先端外周縁には環状の凹欠部１ｉが形成されている。かかる凹欠部１ｉが形成されていると、図６に一部拡大して示すように、挿口１ｂを受口１ａに挿入したときに削ぎ取られる受口１ａ内周面の溶融樹脂や余分の接着剤５を該凹欠部１ｂに逃がして溜めることができるため、これらの溶融樹脂や余分の接着剤５が受口１ａの奥端と挿口１ｂの先端との当接箇所の内周にはみ出して、前述の環状の隆起部Ｂを形成することがなくなり、該隆起部Ｂによって排水の流れが阻害されたり、ヘッダー内部に排水や固形物が滞溜するのを防止することができる。
【００２７】
なお、図１〜図６において、１ｆ，１ｇは、接続された双方のヘッダー用継手１，１の相対的な回動を阻止する凸部と突片であって、凸部１ｆは挿口１ｂの基端部の両側外面に周方向上下に小間隔をあけて一対ずつ形成されており、突片１ｇは受口１ａの先端の両側から突設されている。このような凸部１ｆと突片１ｇが形成されていると、挿口１ｂを受口１ａに挿入したとき、図１，図６に示すように突片１ｇが上下の凸部１ｆ，１ｆの間に嵌まり込んで、挿口１ｂと受口１ａとの相対的な回動が阻止されるため、双方のヘッダー用継手１，１を捻じれないように直立姿勢を保って接続することができる。また、図１〜図６において、１ｈは排水ヘッダーの固定具の支持ベルトを嵌込む浅い凹溝である。
【００２８】
この排水ヘッダーの上流側端部のヘッダー用継手１に接続される合成樹脂製の端部閉塞材２は、図７に示すように、その一端（上流側端）に上流側の排水主管４ａを接続する接続口２ａが上方へ偏位して形成されており、他端（下流側端）には挿口２ｂが形成されている。この挿口２ｂは前述したヘッダー用継手１の挿口１ｂと同一のものであって、該挿口１ｂの外周面のテーパー角θ1 と同じテーパー角の外周面を有している。従って、この上流側の端部閉塞材２は、挿口２ｂの外周面とヘッダー用継手１の受口１ａの内周面との間に実質的に隙間がない状態で、その挿口２ｂをヘッダー用継手１の受口１ａの奥端まで挿入して水密的に接続することができるため、接続部分の体裁が良好であり、接続不良の印象や漏水の不安を与えることはない。
【００２９】
また、この端部閉塞材２の挿口２ｂの先端外周縁にも、前述した環状の凹欠部１ｉが形成されているため、挿口２ｂを挿入するときに削ぎ取られた受口１ａの内周面の溶融樹脂や余分の接着剤が該凹欠部１ｉに溜められ、受口１ａの奥端内側にはみ出して隆起部を形成することはない。
【００３０】
一方、この排水ヘッダーの下流側端部のヘッダー用継手１に接続される合成樹脂製の端部閉塞材３は、図８に示すように、その一端（上流側端）に受口３ａが形成されており、他端（下流側端）に下流側の排水主管４ｂを接続する接続口３ｂが下方に偏位して形成されている。この受口３ａは、前述したヘッダー用継手１の受口１ａと同一のものであって、該受口１ａの内周面のテーパー角θ2 と同じテーパー角の内周面を有している。従って、この下流側の端部閉塞材３も、その受口３ａの内周面とヘッダー用継手１の挿口１ｂの外周面との間に実質的に隙間がない状態で、ヘッダー用継手１の挿口１ｂを該受口３ａの奥端まで挿入して水密的に接続できるため、接続部分の体裁が良好であり、接続不良の印象や漏水の不安を与えることはない。
【００３１】
尚、上流側端部閉塞材２の挿口２ｂの基端部と、下流側端部閉塞材３の受口３ａの先端には、前述した回り止め用の凸部１ｆ，１ｆと突片１ｇがそれぞれ形成されているため、これらの端部閉塞部材２，３も捻じれを生じることなくヘッダー用継手１に接続することができる。
【００３２】
以上のような構成の排水ヘッダーは、その両端部をヘッダー固定具（不図示）で支えることによって家屋の床下に設置される。そして、上流側の端部閉塞材２の接続口２ａと下流側の端部閉塞材３の接続口３ｂには、上流側と下流側の排水主管４ａ，４ｂが接続され、それぞれのヘッダー用継手１の接続口１ｃには、浴室、洗面台、台所、洗濯器等からの排水枝管（不図示）が接続される。
【００３３】
このように床下に設置された排水ヘッダーは、ヘッダー用継手１同士の接続部分や、ヘッダー用継手１と端部閉塞材２，３との接続部分が、既述したように実質的に隙間のない状態で挿口１ｂ，２ｂを受口１ａ，３ａの奥端まで挿入して水密的に接着されているため、ヘッダー用継手１や端部閉塞材２，３が無色透明又は有色透明の合成樹脂で成形されている場合でも、これらの接続部分の外観が良好であり、接続不良の印象や漏水の不安を与える心配はない。しかも、挿口１ｂ，２ｂを挿入する時に削ぎ取られた受口１ａ，３ａの内周面の溶融樹脂や余分な接着剤５は、内側にはみ出して隆起することなく、挿口１ｂ，２ｂの先端外周縁に形成された凹欠部１ｉに溜められるので、排水ヘッダー内部で排水の流れが阻害されたり、固形物が滞溜するのを防止することができる。
【００３４】
上述した実施形態の排水ヘッダーは、排水管路の途中に設置するものであるため、排水主管４ａの接続口２ａを有する端部閉塞材２を、排水ヘッダーの上流側端部のヘッダー用継手１に接続しているが、起点用の排水ヘッダーとして床下に設置する場合は、排水主管４ａの接続口２ａがない端部閉塞材２を上流側端部のヘッダー用継手１に接続すればよい。
【００３５】
また、上述した実施形態の排水ヘッダーでは、ヘッダー用継手１を四つ接続しているが、排水枝管の本数に応じてヘッダー用継手１の接続数を増減すればよいことは言うまでもない。更に、上記実施形態の排水ヘッダーでは、ヘッダー用継手１として、排水枝管の接続口１ｃの大きさが同一で、同じ側に接続口１ｃを形成したものを接続しているが、ヘッダー用継手１として、接続口１ｃの大きさが異なるものや、接続口１ｃを反対側に形成したもの等を種々取り揃えておき、家屋床下の排水枝管の配管状況に応じて、太い排水枝管でも、細い排水枝管でも、片側からでも、反対側からでも、自在に接続できるように、種々のヘッダー用継手を組み合わせて接続することが好ましい。
【００３６】
【発明の効果】
以上の説明から明らかなように、本発明の排水ヘッダーは、ヘッダー用継手の挿口外周面のテーパー角を受口内周面のテーパー角の１／３〜２／３とすることにより、挿口外周面と受口内周面との間に実質的な隙間が生じない状態で挿口を受口の奥端まで挿入、接着して水密的に接合可能としたため、ヘッダー用継手が透明な合成樹脂で形成されている場合でも、接続部分の体裁が良く、接続不良の印象や漏水の不安を与えることがないといった効果を奏する。そして、挿口の先端外周縁に環状の凹欠部を形成したものは、接続時に削ぎ落とされた受口内周面の溶融樹脂や余分の接着剤が該凹欠部に溜まって内側に隆起することがないため、排水ヘッダー内で排水の流れが阻害されたり、固形物が滞溜する心配がなく、また、上流側の端部閉塞材にヘッダー用継手の挿口と同一の挿口を形成したものや、下流側の端部閉塞材にヘッダー用継手の受口と同一の受口を形成したものは、これらの端部閉塞材とヘッダー用継手との接続を上記と同様に実質的な隙間がない状態で体裁良く行うことができる、といった効果を併せて奏する。
【図面の簡単な説明】
【図１】本発明の一実施形態に係る排水ヘッダーの斜視図である。
【図２】キャップを分離して示す同排水ヘッダーのヘッダー用継手の正面図である。
【図３】キャップを分離して示す同ヘッダー用継手の平面図である。
【図４】キャップを分離して示す同ヘッダー用継手の左側面図である。
【図５】キャップを省略した同ヘッダー用継手の拡大断面図である。
【図６】同ヘッダー用継手の接続状態を示す部分断面図である。
【図７】同排水ヘッダーの上流側端部のヘッダー用継手に接続された端部閉塞材の断面図である。
【図８】同排水ヘッダーの下流側端部のヘッダー用継手に接続された端部閉塞材の断面図である。
【図９】従来公知の排水ヘッダーの説明図である。
【図１０】内周面に先広がりのテーパーを付けた受口と、外周面にテーパーを付けてない挿口とを備えたヘッダー用継手を接続して構成される排水ヘッダーの問題点を説明するための部分断面図であって、（ａ）は接続前の状態を、（ｂ）は接続した状態を示す。
【図１１】内周面に先広がりのテーパーを付けた受口と、このテーパーの角度と同じ角度のテーパーを外周面に付けた挿口とを備えたヘッダー用継手を接続して構成される排水ヘッダーの問題点を説明するための部分断面図であって、（ａ）は接続前の状態を、（ｂ）は接続した状態を示す。
【符号の説明】
１  ヘッダー用継手
１ａ  受口
１ｂ  挿口
１ｃ  排水枝管の接続口
１ｉ  環状の凹欠部
θ1   挿口の外周面のテーパー角
θ2   受口の内周面のテーパー角
２  上流側の端部閉塞材
２ａ  排水主管の接続口
２ｂ  挿口
３  下流側の端部閉塞材
３ａ  受口
３ｂ  排水主管の接続口
４ａ，４ｂ  排水主管
５  削ぎ取られた受口内周面の溶融樹脂や余分な接着剤
【図１】
2004211319.tif 000003
【図２】
2004211319.tif 000004
【図３】
2004211319.tif 000005
【図４】
2004211319.tif 000006
【図５】
2004211319.tif 000007
【図６】
2004211319.tif 000008
【図７】
2004211319.tif 000009
【図８】
2004211319.tif 000010
【図９】
2004211319.tif 000011
【図１０】
2004211319.tif 000012
【図１１】
2004211319.tif 000013